(57)【特許請求の範囲】
【請求項１】
情報を表示する表示画面を有する機器本体と、
前記機器本体に情報を入力するキーボードと、
連結部を介して開閉可能に連結された第１の表紙部および第２の表紙部を有し、前記第１の表紙部の内面部に前記機器本体が設けられるとともに、前記第２の表紙部の内面部に前記キーボードが設けられたブック型カバーと、
一端部が前記ブック型カバーの前記第２の表紙部に取付けられ、前記第１の表紙部の先端縁と前記第２の表紙部の先端縁との間を跨ぐとともに、他端部が前記第１の表紙部に取り外し可能に止められるバンドと、を具備し、
前記第２の表紙部の外面部の中央部に支持袋を形成し、この支持袋は前記第２の表紙部の先端縁に隣接する縁部と、この縁部に形成され、前記バンドの一端部が挿入される開口と、前記ブック型カバーの前記連結部に隣接する縁部とを有し、
前記バンドの一端部は、前記バンドが前記第１の表紙部の先端縁と前記第２の表紙部の先端縁との間を跨いで前記第２の表紙部に止まる止め位置と、この止め位置から前記第２の表紙部の方向に後退した解除位置との間で移動可能に前記開口から前記支持袋内に挿入されているとともに、前記バンドの一端部に、前記バンドが前記止め位置に移動した時に前記開口を有する前記縁部に当り、前記バンドが前記解除位置に移動した時に前記連結部側の縁部に当ることで前記バンドの移動範囲を定めるストッパを設けたことを特徴とする携帯型電子機器。
【請求項２】
情報を表示する表示画面を有する機器本体と、
前記機器本体に情報を入力するキーボードと、
連結部を介して開閉可能に連結された第１の表紙部および第２の表紙部を有し、前記第１の表紙部の内面部に前記機器本体が設けられるとともに、前記第２の表紙部の内面部に前記キーボードが設けられたブック型カバーと、
一端部が前記ブック型カバーの前記第１の表紙部に取付けられ、前記第１の表紙部の先端縁と前記第２の表紙部の先端縁との間を跨ぐとともに、他端部が前記第２の表示部に取り外し可能に止められるバンドと、を具備し、
前記第１の表紙部の外面部の中央部に支持袋を形成し、この支持袋は前記第１の表紙部の先端縁に隣接する縁部と、この縁部に形成され、前記バンドの一端部が挿入される開口と、前記ブック型カバーの前記連結部に隣接する縁部とを有し、
前記バンドの一端部は、前記バンドが前記第１の表紙部の先端縁と前記第２の表紙部の先端縁との間を跨いで前記第１の表紙部に止まる止め位置と、この止め位置から前記第１の表紙部の方向に後退した解除位置との間で移動可能に前記開口から前記支持袋内に挿入されているとともに、前記バンドの一端部に、前記バンドが前記止め位置に移動した時に前記開口を有する前記縁部に当り、前記バンドが前記解除位置に移動した時に前記連結部側の縁部に当ることで前記バンドの移動範囲を定めるストッパを設けたことを特徴とする携帯型電子機器。
【発明の詳細な説明】
【０００１】
【発明の属する技術分野】
本発明はブック型カバーで機器本体を覆う携帯型電子機器に関する。
【０００２】
【従来の技術】
携帯型電子機器、例えばパーソナルコンピュータ（以下パソコンと称する。）としてブック型カバーを備えたものがある。このパソコンは、上面部に情報を表示する表示画面を有するペン入力方式の機器本体と、連結部を介して開閉可能に連結された第１の表紙部および第２の表紙部を有し、第１の表紙部の内面部がパソコン本体の下面を覆って固定されるとともに第２の表紙部が機器本体の上面部を開閉可能に覆うブック型カバーと、このブック型カバーの閉じた第１の表紙部の先端縁と第２の表紙部の先端縁との間を跨いで両方の表紙部を保持するバンドとを具備したものである。ブック型カバーは機器本体を保護するとともに携帯性を高めるものである。このパソコンは入力ペンを備え、この機器本体の表示画面にペンを接触させて文字情報を入力する。
【０００３】
バンドの取付ける形式には２通りある。その一つは、バンドの一端部をブック型カバーの第２の表紙部の外面部に固定具を用いて固定し、バンドの他端部をパソコン本体を覆う第１の表紙部の外面部にホックを用いて着脱可能に止める形式である。
【０００４】
このバンドの取付け方は次の理由によるものである。バンドをホックを用いてブック型カバーの表紙部に止める場合には、バンドに設けたホックを表紙部に設けたホックに嵌合して強く押すことにより両方のホックを固定する。このため、バンドを強く押す力が、ブック型カバーの表紙部を介して、この表紙部が覆う機器本体の部分に加わる。もし、表示画面を有する機器本体の上面部を覆う第２の表紙部にホックを用いてバンドを止めるとすると、バンドを押す力が第２の表紙部を介して機器本体上面部の表示画面に加わり、表示画面を損傷させるおそれがある。そこで、機器本体の下面部を覆う第１の表紙部にホックを用いてバンドを止めるとすると、このバンドを押す力が機器本体上面部の表示画面に加わることがなく安全である。
【０００５】
また、他の形式は、バンドの一端部をブック型カバーのパソコン本体を覆う第２の表紙部の外面部に固定具を用いて固定し、バンドの他端部をパソコン本体を覆う第１の表紙部の外面部にホックを用いて着脱可能に止めるものである。
【０００６】
ところで、このペン入力方式のパソコンは文字情報の入力速度が遅く多くの文字情報を入力するには適さない。
【０００７】
そこで、ブック型カバーを備えたパソコンとしてキー入力方式を採用したものの開発が検討されている。すなわち、このパソコンは、ブック型カバーにおける第１の表紙部の内面部にパソコン本体を設けるとともに、第２の表紙部の内面部にキーを並べたキーボードを設けたもので、キーを打鍵操作することによりペン入力方式に比較して速い速度で文字情報を入力することができる。
【０００８】
【発明が解決しようとする課題】
このブック型カバーを備えてキー入力方式を採用したパソコンを開発するに当たっては、バンドを取付ける上で次に述べる問題が生じている。
【０００９】
このパソコンを使用するに当たっては、使用者はブック型カバーの第１の表紙部および第２の表紙部を開いて、キーボード（第２の表紙部）を自身の手前側に、パソコン本体（第１の表紙部）を奥側に夫々位置させる。そして、パソコンを机上（またはそれに類するもの）あるいは使用者の膝の上に載せて、キーボードのキーを打鍵操作する。
【００１０】
ここで、ブック型カバーを閉じるバンドを、キーボードを設けた第２の表紙部に固定し、パソコン本体を設けた第１の表紙部で止める形式で設けることを考える。この場合には、パソコンの使用に際してキーボードおよび第２の表紙部を使用者に対して手前側へ開くと、バンドも第２の表紙部とともに使用者に対して手前側に位置する。すなわち、バンドがキーボードと使用者との間において使用者に向けて長く突出した状態で位置する。そうすると、使用者がキーボードを打鍵操作する場合に、キーボードと使用者との間に長く突出したバンドが手に当たったりして、キーボードを打鍵操作する上で大きな障害となっている。
【００１１】
また、ブック型カバーを閉じるバンドを、パソコン本体を設けた第１の表紙部に固定し、キーボードを設けた第２の表紙部に止める形式で設ける場合を考える。この形式ではバンドを固定する固定具がキーボードを覆う第２の表紙部にないので、ブック型カバーを開いて例えば机上に置いた場合、第２の表紙部全体が机上面に当接してキーボード全体が静止し、キーボードの下側でバンドの固定具が机上面に当たってキーボードが固定具を支点として傾いて動くという不安定な状態になることを回避できる。このため、キーの打鍵操作を安定して行うことができるという利点がある。
【００１２】
しかし、この形式でバンドを設ける場合には、次に述べる問題が発生する。ブック型カバーを開いてパソコン本体（第１の表紙部）を奥側に位置させると、第１の表紙部の外面部に固定されたバンドは、第１の表紙部から第１の表紙部に取付けられたパソコン本体と第２の表紙部に取付けられたキーボードとの間に長く突出した状態で位置する。ここで、第１の表紙部に設けられたパソコン本体の表示画面が内側に位置する。このため、バンドは使用者とパソコン本体の表示画面との間に位置して、使用者から見て表示画面を隠して使用者が表示画面を見る上で支障をきたすことになる。
【００１３】
このようにブック型カバーを備えてキー入力方式を採用したパソコンを開発する上で、バンドを設ける何れの方式もパソコンの操作を阻害するという問題を生じている。
【００１４】
本発明は、ブック型カバーを閉じた状態に保持するバンドに阻害されることなく操作を行うことができて高い操作性を有する携帯型電子機器を提供するものである。
【００１５】
【課題を解決するための手段】
上記目的を達成するため、本発明の一つの形態に係る携帯型電子機器は、
情報を表示する表示画面を有する機器本体と、
前記機器本体に情報を入力するキーボードと、
連結部を介して開閉可能に連結された第１の表紙部および第２の表紙部を有し、前記第１の表紙部の内面部に前記機器本体が設けられるとともに、前記第２の表紙部の内面部に前記キーボードが設けられたブック型カバーと、
一端部が前記ブック型カバーの前記第２の表紙部に取付けられ、前記第１の表紙部の先端縁と前記第２の表紙部の先端縁との間を跨ぐとともに、他端部が前記第１の表紙部に取り外し可能に止められるバンドと、を備えている。
本発明では、前記第２の表紙部の外面部の中央部に支持袋を形成し、この支持袋は前記第２の表紙部の先端縁に隣接する縁部と、この縁部に形成され、前記バンドの一端部が挿入される開口と、前記ブック型カバーの前記連結部に隣接する縁部とを有し、
前記バンドの一端部は、前記バンドが前記第１の表紙部の先端縁と前記第２の表紙部の先端縁との間を跨いで前記第２の表紙部に止まる止め位置と、この止め位置から前記第２の表紙部の方向に後退した解除位置との間で移動可能に前記開口から前記支持袋内に挿入されているとともに、前記バンドの一端部に、前記バンドが前記止め位置に移動した時に前記開口を有する前記縁部に当り、前記バンドが前記解除位置に移動した時に前記連結部側の縁部に当ることで前記バンドの移動範囲を定めるストッパを設けたことを特徴としている。
【００１９】
【発明の実施の形態】
第１の実施の形態について図１ないし図６を参照して説明する。
【００２０】
この実施の形態は、携帯型電子機器の一例としてパソコンに適用したもので、またバンドをブック型カバーの表紙部（キーボードを覆う第２の表紙部）に回動可能に枢着したものである。図１はブック型カバーを閉じたパソコンをブック型カバーの第２の表紙部側から示す斜視図、図２は同じく状態のブック型カバーの第１の表紙部側から示す斜視図、図３はブック型カバーを開いた状態のパソコンをブック型カバーの第２の表紙部側から示す斜視図、図４はブック型カバーを開いた状態のパソコンを示す斜視図、図５はブック型カバーを開いた状態のパソコンを示す平面図、図６はブック型カバーを閉じた状態のパソコンを示す側面図である。
【００２１】
図において１は機器本体であるパソコン本体、２はキーボード、３はブック型カバー、４はバンドである。
【００２２】
パソコン本体１について説明する。このパソコン本体１は、薄型の直方体をなす箱体からなるもので、その内部には図示しないがパソコンにとって必要な電子回路を構成する電子部品や回路パターンを搭載した回路基板、液晶ディスプレイ、ＰＣカードを装填するスロット、メモリカードを装填する装填部などが設けられている。
パソコン本体の上面部には情報を表示する表示画面１１が設けられている。この表示画面１１はパソコン本体１の上面部において広い面積を占める四角形をなすもので、前記した液晶ディスプレイによって構成されている。パソコン本体１の上面部における一方の側部にはカーソルキー１２と複数の操作釦１３が設けられ、他方の側面部にはメモリカード出入口１４およびＰＣカード出入口１５が設けられている。パソコン本体１の後面部には電源スイッチ１６と情報を送信するアンテナ１７が設けられている。
【００２３】
キーボード２は、パソコン本体１と同じ大きさを有する直方体の箱状をなしている。キーボード２の上面部には多数のキー２１が格子状に並べて設けられており、これらキー２１は打鍵操作により情報を入力するものである。キーボード２の内部には、各キー２１毎にこれらキー２１の打鍵操作によって電気信号を発する接点（図示せず）が設けられている。このキーボード２は図示しない信号線によってパソコン本体１の回路基板と接続されている。
【００２４】
ブック型カバー３は、パソコン本体１を覆う第１の表紙部３１とキーボード２を覆う第２の表紙部３２とを連結部３３で開閉可能に連結したものである。この第１の表紙部３１および第２の表紙部３２はパソコン本体１より一回り大きい矩形をなす硬質のものである。連結部３３は第１の表紙部３１の一方の長辺縁全体と第２の表紙部３２の一方の長辺縁の全体とを連結する細長いもので軟質となっている。例えば、第１の表紙部３１と第２の表紙部３２と連結部３３を一枚の皮革により一体に形成し、表紙部３１，３２に心材を内装して硬質としている。
【００２５】
第１の表紙部３１の内面部にはパソコン本体１が設けられている。例えば、第１の表紙部３１の内面部とパソコン本体１の下面部には夫々図示しないベルベットファスナが取付けられている。パソコン本体１は第１の表紙部３１の内面部に載置され、パソコン本体１の下面部のベルベットファスナが第１の表紙部３２の内面部のベルベットファスナに重なって両者が固着している。これにより第１の表紙部３１を開くと、パソコン本体１の表示画面１１を有する上面部が上向きに位置する。
【００２６】
第２の表紙部３２の内面部にはキーボード２が取付けられている。例えば、第２の表紙部３２の表面部には係合袋部３４が設けられ、この係合袋部３４は連結部３３に面する側部が開放されている。キーボード２の下面部には係合片２２が設けられている。キーボード２は第２の表紙部３２の内面部に載置され、係合片２２が係合袋部３４に挿脱可能に挿入係合されている。これにより第２の表紙部３３を開くと、キーボード２のキーが２１が設けられた上面部が上向きに位置する。
【００２７】
バンド４はブック型カバー３の閉じた状態にある第１の表紙部３１と第２の表紙部３２とを保持するものである。バンド４は皮革からなるもので、ブック型カバー３の第２の表紙部３２の外面部から第２の表紙部３２の先端縁（連結部３３に連結される側縁部と反対側縁部）と第１の表紙部３１の先端縁（連結部３３に連結される側縁部と反対側縁部）との間を跨いで第１の表紙部３１の外面部に到る長さを有している。このバンド４は、ブック型カバー３の連結部３３の長さ方向中央に配置され、一端部が第２の表紙部３２の外面部に当接されて取付けピン４１により枢着され、他端部がホック４２、４３によって第２の表紙部３２の外面部で着脱可能に止められるようになっている。
【００２８】
すなわち、取付けピン４１は外方からバンド４の一端部を通して第２の表紙部３２に挿入してバンド４の一端部を回動可能に枢着している。これによりバンド４は取付けピン４１を中心として、閉じた状態にある第１の表紙部３１の先端縁と第２の表紙部３２の先端縁との間と、これら両方の表紙部３１，３２に挟まれたパソコン本体１およびキーボード２を跨いで第１の表紙部３１の外面部に止める止め位置Ａと、この止め位置Ａから外れた解除位置Ｂとの間を回動するように枢着されている。止め位置Ａは連結部３３の長さ方向中央にて閉じた状態にある両表紙部３１、３２の先端縁を跨ぐ位置であり、解除位置Ｂは両方の表紙部３１、３２の先端縁を跨ぐ位置から外れて後述するように両方の表紙部３１、３２を開いてキーボード２のキー２１を打鍵操作する時にその操作の障害にならない位置をいう。例えば止め位置Ａに対して９０度から１８０度の角度の位置である。この実施の形態ではバンド４は取付けピン４１を中心として３６０度の範囲を回動できるように枢着され、前記の解除位置Ｂの範囲に回動できる。
【００２９】
バンド４の他端部にはホック４２が取付けられ、ブック型カバー３の第１の表紙部３１の外面部には、止め位置Ａにあるバンド４の他端部と対向する位置にホック４３が取付けられている。このホック４２，４３は一方が雄型、他方が雌型で、互いに係脱可能に係合する対をなすものである。このため、バンド４が止め位置Ａに位置されると、バンド４の他端部に取付けたホック４２が第１の表紙部３１の外面部に取付けたホック４３と組合される。そこで、バンド４の他端部を第１の表紙部３１の外面部に向けて押圧することにより、ホック４２をホック４３と係合することができる。
この場合、ホック４２をホック４３と係合するためにバンド４を押圧する力はパソコン本体１の下面部に加わるので、パソコン本体１の上面部にある表示画面１１を損傷することがない。また、ホック４２がホック４３と係合した状態でバンド４の他端部を第１の表紙部３１の外面部から離れる向きに引くと、ホック４２をホック４３から離脱させることができる。
【００３０】
なお、バンド４を第１の表紙部３１に止める手段はホックに限定されず、第３の実施の形態におけるバンド通しなどを用いることもできる。
【００３１】
このように構成された携帯型パーソナルコンピュータを携帯する場合には、ブック型カバー３の第１の表紙部３１と第２の表紙部３２を連結部３３を介して閉じる。バンド４を止め位置Ａに位置させてその他端部を第１の表紙部３１に止め、閉じた両方の表紙部３１，３２をバンド４で保持する。この場合、第１の表紙部３１に設けたパソコン本体１と第２の表紙部３２に設けたキーボード２とが両方の表紙部３１，３２によって挟まれるので、パーソナルコンピュータの携帯性が良好である。
【００３２】
このパーソナルコンピュータを使用する場合には、バンド４を第１の表紙部３１から外して両方の表紙部３１，３２の固定を解除し、両方の表紙部３１，３２を連結部３３を中心として平坦な状態になるまで開放する。このため、両方の表紙部３１，３２の外面部が下向きとなり、パソコン本体１とキーボード２の夫々の上面部が上向きとなる。使用者に対してキーボード２を手前側に位置させ、パソコン本体１を奥側に位置させる。
【００３３】
バンド４を止め位置Ａから取付けピン４１を中心として解除位置Ｂの範囲へ回動する。この解除位置Ｂの範囲はバンド４が第２の表紙部３２の外面部の下方に重なっており、第２の表紙部３２の先端縁から使用者に向けて外部へ突出することがない。このため、バンド４がキーボード２と使用者との間で使用者に向けて長く突出することがなく、使用者がキーボード２のキー２１を打鍵操作する際に、バンド４が手に当たったりすることがなくキー２１の打鍵操作を円滑に行うことができる。
【００３４】
なお、パソコン本体１の表示画面１１を構成する液晶ディスプレイに文字認識機能を持たせ、入力ペンにより表示画面１１上で文字を入力することも可能である。付属する入力ペンは、ブック型カバー３やバンド４に取外し可能に保持する。
【００３５】
第２の実施の形態について図７および図８を参照して説明する。
【００３６】
この実施の形態は、バンド４をブック型カバーの表紙部（キーボードを覆う第２の表紙部）に止め位置と解除位置との間を移動するように設けたものである。図７はブック型カバーを閉じた状態のパソコンを示す斜視図、図８はブック型カバーを開いた状態のパソコンを示す斜視図である。図７および図８において図１ないし図６と同じ部分は同じ符号を付して示している。
【００３７】
この第２の実施の形態では、ブック型カバー３における第２の表紙部３２の外面部の中央部に支持袋５１が形成されている。この支持袋５１は、第２の表紙部３２の外面部を形成する皮革の内部に袋用シートを取付けて形成した四角形をなすもので、第２の表紙部３２の先端縁に面した縁部にこの先端縁に平行な開口５２が形成されている。
バンド４は、その一端部から開口５２を通して支持袋５１の内部に挿入され、バンド４が前記実施の形態における止め位置Ａにある時のバンド４の長さ方向、すなわち、引出し、押込み方向に沿って移動できるようになっている。支持袋５１の内部に位置するバンド４の一端部はストッパ５３を有している。これによりバンド４を支持袋５１から最大長さで引出した時に、ストッパ５３が開口５２と並ぶ支持袋５１の縁部に当たってバンド４の引出し方向への移動を阻止し、バンド４を最大長さで支持袋５１に押込んだ時に、ストッパ５３が支持袋５１における連結部３３側の縁部に当たってバンド４の押込み方向への移動を阻止する。したがって、ストッパ５３は止め位置Ａと解除位置Ｃとの間でのバンド４の移動範囲を定めている。
【００３８】
すなわち、図７に示すようにバンド４は、最大長さで引出した時には、第２の表紙部３２の外面部からこの第２の表紙部３２の先端縁および第１の表紙部３１の先端縁と、これら両方の表紙部３１，３２に挟まれたパソコン本体１およびキーボード２を跨いで第１の表紙部３１の外面部に達する止め位置Ａにある。図８に示すようにバンド４を最大に押込んだ時には、この止め位置Ａから外れてバンド４の他端部が、第２の表紙部３２の先端より外部へ突出せずに外面部に重なる位置まで後退し、あるいはキーボード２のキー２１の打鍵操作の障害とならない程度の長さで第２の表紙部３２の先端縁から突出する位置まで後退する解除位置Ｃになる。バンド４がこのような設定になるようにバンド４および支持袋５１の寸法を設定する。
【００３９】
このパソコンを携帯する時は、ブック型カバー３を閉じて、バンド４を支持袋５１から止め位置Ａまで最大に引出し、前述したようにホック４２をブック型カバー３２の第１の表紙部３１のホック４３と係合してバンド４を止めてブック型カバー３を閉じた状態に保持する。
【００４０】
このパソコンを使用する時は、バンド４を止め位置Ａから解除位置Ｃまで最大長さで押し込む。この状態でバンド４の他端部は、第２の表紙部３２の先端縁より外部へ突出せずに外面部に重なる位置まで後退し、あるいはキーボード２のキー２１の打鍵操作の障害とならない程度の長さで第２の表紙部３２の先端縁から突出する位置まで後退する。
【００４１】
従って、バンド４がキーボード２と使用者との間に使用者に向けて長く突出することがなく、このため使用者がキーボード２のキー２１を打鍵操作する際に、バンド４が手に当たったりすることがなくキー２１の打鍵操作を円滑に行うことができる。
【００４３】
第３の実施の形態について図９ないし図１３を参照して説明する。
【００４４】
この実施の形態はパソコンに適用したもので、またバンド４をブック型カバーの表紙部（機器本体であるパソコン本体を覆う第１の表紙部）に回動可能に枢着したものであり、第１の実施の形態と関連するものである。図９はブック型カバーを閉じたパソコンをブック型カバーの第１の表紙部側から示す斜視図、図１０は同じ状態のパソコンをブック型カバーの第２の表紙部側から示す斜視図、図１１はブック型カバーを開いた状態のパソコンを示す斜視図、図１２はブック型カバーを開いた状態のパソコンを示す平面図、図１３はブック型カバーを閉じた状態のパソコンを示す側面図である。図９ないし図１３において図１ないし図６と同じ部分は同じ符号を付して示している。
【００４５】
この実施の形態では、バンド４は、ブック型カバー３の連結部３３の長さ方向中央に配置され、一端部が第１の表紙部３１の外面部に当接されて取付けピン４１により枢着され、他端部が第２の表紙部３２の外面部に設けられたバンド通し４５により着脱可能に止められるようになっている。
【００４６】
すなわち、取付けピン４１は外方からバンド４の一端部を通して第１の表紙部３１に挿入してバンド４の一端部を回動可能に枢着している。これによりバンド４は取付けピン４１を中心として、閉じた状態にある第１の表紙部３１の先端縁と第２の表紙部３２の先端縁との間と、これら両方の表紙部３１，３２に挟まれたパソコン本体１およびキーボード２を跨いで第２の表紙部３２の外面部に止める止め位置Ａと、この止め位置Ａから外れた解除位置Ｂとの間を回動するように枢着される。止め位置Ａは連結部３３の長さ方向中央にて閉じた状態にある両表紙部３１、３２の先端縁を跨ぐ位置であり、解除位置Ｂは両方の表紙部３１、３２の先端縁を跨ぐ位置から外れて両方の表紙部３１、３２を開いた時にバンド４がパソコン本体１の表示画面１１の前側に位置して使用者が見ることを妨げない位置である。例えば止め位置Ａに対して９０度から１８０度の角度の位置である。この実施の形態ではバンド４は取付けピン４１を中心として３６０度の範囲を回動できるように枢着され、前記の解除位置Ｂの範囲に回動できる。
【００４７】
ブック型カバー３の第２の表紙部３２の外面部には、止め位置Ａにあるバンド４の他端部が挿通できる位置にバンド通し４５が取付けられている。バンド通し４５は例えば皮革材料により形成された帯形をなすもので、第２の表紙部３２の左右方向（連結部３３の長さ方向）に沿って配置されるとともに、第２の表紙部３２の外面部に縫付けられている。バンド通し４５における第２の表紙部３２の左右方向（連結部３３の長さ方向）の中央部には、前後方向に沿って貫通するバンド通し部４５ａが形成されている。バンド４が止め位置Ａに位置されると、バンド４の他端部をバンド通し４５のバンド通し部４５ａに抜き差し可能に差し込む（挿通）ことができる。これによりバンド４は第２の表紙部３２に着脱可能に止めることができる。
【００４８】
このパーソナルコンピュータを携帯する場合には、ブック型カバー３の第１の表紙部３１と第２の表紙部３２を閉じ、バンド４を止め位置Ａに位置させて第２の表紙部３２に止め、両方の表紙部３１，３２をバンド４で保持する。
【００４９】
このパーソナルコンピュータを使用する場合には、バンド４を第２の表紙部３２から外して両方の表紙部３１，３２の保持を解除し、両方の表紙部３１，３２を連結部３３を中心として平坦な状態になるまで開放する。このため、両方の表紙部３１，３２の外面部が下向きとなり、パソコン本体１とキーボード２の夫々の上面部が上向きとなる。使用者に対してキーボード２を手前側に位置させ、パソコン本体１を奥側に位置させる。
【００５０】
バンド４を止め位置Ａから取付けピン４１を中心として解除位置Ｂの範囲へ回動する。この解除位置Ｂの範囲はバンド４が第１の表紙部３１の外面部の下方に重なっており、第１の表紙部３１の先端縁から開放された両方の表紙部３１，３２の間に突出することがない。すななち、バンド４が第１の表紙部３に設けられたパソコン本体１の表示画面１１の前側に位置して表示画面１１を隠し、使用者がパソコン本体１の表示画面１１の表示を見ることを妨げることがない。このため、使用者はパソコン本体１の表示画面１１全体を支障なく見ることができて、パーソナルコンピュータを良好に操作することができる。
【００５１】
第４の実施の形態について図１４を参照して説明する。
【００５２】
この実施の形態は、バンド４をブック型カバーの表紙部（機器本体であるパソコン本体を覆う第１の表紙部）に止め位置と解除位置との間を移動するように設けたもので、第２の実施の形態と関連するものである。図１４はブック型カバーを閉じた状態のパソコンを示す斜視図で、図７と同じ部分は同じ符号を付して示している。
【００５３】
この第４の実施の形態では、ブック型カバー３における第１の表紙部３１の外面部の中央部に支持袋６１が形成されている。この支持袋６１は、第１の表紙部３１の外面部を形成する皮革の内部に袋用シートを取付けて形成した四角形をなすもので、第１の表紙部３１の先端縁に面した縁部にこの先端縁に平行な開口６２が形成されている。
バンド４は、その一端部から開口６２を通して支持袋６１の内部に挿入され、バンド４が前記実施の形態における止め位置Ａにある時のバンド４の長さ方向、すなわち、引出し、押込み方向に沿って移動できるようになっている。支持袋６１の内部に位置するバンド４の一端部はストッパ６３を有している。これによりバンド４を支持袋６１から最大長さで引出した時に、ストッパ６３が開口６２と並ぶ支持袋６１の縁部に当たってバンド４の引出し方向への移動を阻止し、バンド４を最大長さで支持袋６１に押込んだ時に、ストッパ６３が支持袋６１における連結部３３側の縁部に当たってバンド４の押込み方向への移動を阻止する。したがって、ストッパ６３は止め位置Ａと解除位置Ｃとの間でのバンド４の移動範囲を定めている。
【００５４】
すなわち、バンド４は、最大長さで引出した時には、第１の表紙部３１の外面部からこの第１の表紙部３１の先端縁および第２の表紙部３２の先端縁と、これら両方の表紙部３１，３２に挟まれたパソコン本体１およびキーボード２を跨いで第２の表紙部３２の外面部に達する止め位置Ａにある。バンド４を最大に押込んだ時には、この止め位置Ａから外れてバンド４の他端部が、第１の表紙部３１の先端より外部へ突出せずに外面部に重なる位置まで後退し、あるいは使用者がパソコン本体１の表示画面１１の観察の障害とならない程度の長さで第１の表紙部３１の先端縁から突出する位置まで後退する解除位置Ｃになる。バンド４がこのような設定になるようにバンド４および支持袋６１の寸法を設定する。
【００５５】
なお、ブック型カバー３の第２の表紙部３２の外面部には、図示しないが第３の実施の形態に設けたバンド通し４５と同じバンド通しが取付けられて、バンド４の他端部を着脱可能に止めるようになっている。
【００５６】
このパソコンを携帯する時は、ブック型カバー３を閉じて、バンド４を支持袋６１から止め位置Ａまで最大に引出し、バンド４の他端部をバンド通し４５のバンド通し部４５ａに差し込む。これによりバンド４を第２の表紙部３２に止めることができ、ブック型カバー３を閉じた状態に保持する。
【００５７】
このパソコンを使用する時は、バンド４を止め位置Ａから解除位置Ｃまで最大長さで押し込む。この状態でバンド４の他端部は、第１の表紙部３１の先端縁より外部へ突出せずに外面部に重なる位置まで後退し、あるいは使用者がパソコン本体１の表示画面１１の観察の障害とならない程度の長さで第１の表紙部３１の先端縁から突出する位置まで後退する。
【００５８】
従って、バンド４が第１の表紙部３１に設けられたパソコン本体１の表示画面１１の前側に位置して表示画面１１を隠すことはなく、使用者がパソコン本体１の表示画面１１の表示を見ることを妨げることがない。このため、使用者はパソコン本体１の表示画面１１全体を支障なく見ることができて、パーソナルコンピュータを良好に操作することができる。
【００６０】
【発明の効果】
以上詳述した本発明によれば、携帯型電子機器の使用時に、使用者はブック型カバーを止めるバンドに阻害されることなくキーボードの操作を実行したり、機器本体の表示画面を見ることができ、操作性を高めることができる。
【００６１】
請求項３および請求項４の発明の携帯型電子機器によれば、ブック型カバーにおける第１の表紙部に機器本体を、第２の表紙部２キーボードを夫々設け、この第１および第２の表紙部をバンドで止めて保持するものであって、使用時に使用者がブック型カバーを止めるバンドに阻害されることなくキーボードの操作を行うことができて操作性を高めることができる。
【図面の簡単な説明】
【図１】本発明の第１の実施の形態におけるパソコンを示す斜視図。
【図２】同実施の形態におけるパソコンを示す斜視図。
【図３】同実施の形態におけるパソコンを示す斜視図。
【図４】同実施の形態におけるパソコンを示す斜視図。
【図５】同実施の形態におけるパソコンを示す平面図。
【図６】同実施の形態におけるパソコンを示す側面図。
【図７】第２の実施の形態におけるパソコンを示す斜視図。
【図８】同実施の形態におけるパソコンを示す斜視図。
【図９】第３の実施の形態におけるパソコンを示す斜視図。
【図１０】同実施の形態におけるパソコンを示す斜視図。
【図１１】同実施の形態におけるパソコンを示す斜視図。
【図１２】同実施の形態におけるパソコンを示す平面図。
【図１３】同実施の形態におけるパソコンを示す側面図。
【図１４】第４の実施の形態におけるパソコンを示す斜視図。
【符号の説明】
１…機器本体（パソコン本体）、２…キーボード、３…ブック型カバー、４…バンド、１１…表示画面、３１…第１の表紙部、３２…第２の表紙部、３３…連結部、５１，６１…支持袋、５２，６２…開口、５３，６３…ストッパ、Ａ…止め位置、Ｃ…解除位置。
【図１】
0003597813.tif 000002
【図２】
0003597813.tif 000003
【図３】
0003597813.tif 000004
【図４】
0003597813.tif 000005
【図５】
0003597813.tif 000006
【図６】
0003597813.tif 000007
【図７】
0003597813.tif 000008
【図８】
0003597813.tif 000009
【図９】
0003597813.tif 000010
【図１０】
0003597813.tif 000011
【図１１】
0003597813.tif 000012
【図１２】
0003597813.tif 000013
【図１３】
0003597813.tif 000014
【図１４】
0003597813.tif 000015